(57)【要約】【課題】  乗り物で仮眠をとり無意識状態になると、頭部の重みや乗り物の揺れによりバランスを保つことができず、前後左右に倒れこんでしまっていた。そのため、周囲の迷惑となりリラックスして仮眠することが出来なかった。着脱式固定具や枕の使用は一定方向のバランスだけは保つことができるが、全方向のバランスを保つことが困難であった。ここに全方向のバランスを保ちつつ、瞬時に着脱可能な仮眠用補助台を提供する。【解決手段】  支柱を設け、その支柱の先端に手等を載せる台座を設け、支柱をとり巻くように広がる脚部の構成からなり、支柱内部には、スライド可能なロック部とバネをもつスライド孔挿入部格納体が備わり、脚部は、支柱に沿って上下することができ、支柱内のスライド孔挿入部格納体とロックすることで、バネにより加重を吸収すことができる携帯可能な着座仮眠補助台。【選択図】図２
2016034463.tif 000002
【特許請求の範囲】
【請求項１】
本発明は、支柱部を設け、その支柱部とロック部を組み合わせた先端に手等を載せる台座を設け、支柱部を取巻くように広がる脚部の構成からなり、支柱部は円筒状の支柱部中心筒から少し隙間を空けて取巻くように支柱部外壁を設けられており、支柱部外壁は、均等に分割される線上に沿って、上端から上下の中間より少し下降した辺りまで長いコの字谷状のスライド孔が設けられ、支柱部の閉じられた底面には、それぞれのスライド孔の延長線上に支柱部バネ固定部が設けられて、この支柱部バネ固定部にはバネの一端が固定され、バネは底面からスライド孔下端より少し下の高さまで伸び、バネのもう一端にはスライド孔挿入部格納体が固定され、スライド孔挿入部格納体は、直方体を縦置きにしてコの字型になるよう変形させた形をしており、側面に四角状の穴が設けられ、支柱部の、支柱部外壁と支柱部中心筒の隙間に挿入される形で、ロック部が設けられて、ロック部は、ロック部頭部、ロック部スライド棒、結合部から構成され、ドーナツ状のロック部頭部からは、支柱部と同等の高さでロック部スライド棒が垂下して設けられ、ロック部スライド棒の片側面には、縦方向に細長く結合部スライド孔が切り掛け状に設けてあり、このスライド孔に結合部が挿入されるのであるが、結合部は支柱部のスライド孔挿入部格納体の四角状の穴と同じ高さに設けられており、ロック部頭部の頭頂部には円錐台型の台座をロック部側が小さい面になるように取り付け、脚部には、脚部の上端より少し低い位置の内壁に、スライド孔挿入部格納体のコの字谷の部分の長さ幅に相当する長さ幅に支柱部と脚部がぶつからない距離を加えた長さで、内側に突き出す形でスライド孔挿入部が設けられており、スライド孔挿入部は、スライド孔へ挿入されることにより支柱部に沿って上下することができ、またスライド孔挿入部が、スライド孔を下りきった時、スライド孔挿入部とスライド孔挿入部格納体は嵌合され、この状態でロック部を結合部がある側へ回転させると、結合部がスライド孔挿入部格納体とスライド孔挿入部に挿入され、スライド孔挿入部とスライド孔挿入部格納体が結合されることで脚部が固定されて、ロック部を結合部と逆側へ回転させると、結合部がスライド孔挿入部格納体とスライド孔挿入部から抜けて結合が解除され、脚部を上下することが出来ることを特徴とする携帯可能な着座仮眠補助台である。
【発明の詳細な説明】
【技術分野】
【０００１】  本発明は、乗り物等で着座時に、姿勢のバランスを保ちながら仮眠をとることを可能にする携帯可能な着座仮眠補助台に関するものである。
【背景技術】
【０００２】  従来、着座時の仮眠は横・後ろに寄掛ったり、前傾姿勢でとっていた。なお、着座時のバランスを保つには座席に着脱可能な固定部材を設置したり（特許文献１参照）、着座時の睡眠には首を支持する枕を装着することが知られている（特許文献２参照）。
【先行技術文献】
【特許文献】
【０００３】
【特許文献１】特開２００５−２０５１１４号公報
【特許文献２】特開２００４−２７５５７１号公報
【発明の概要】
【発明が解決しようとする課題】
【０００４】  乗り物で仮眠をとり無意識状態になると、頭部の重みや乗り物の揺れによりバランスを保つことができず、前後左右に倒れこんでしまっていた。そのため、周囲の人に迷惑となることがありリラックスして仮眠することが出来なかった。特許文献１に示される着脱式固定具や特許文献２に示される首を支持する枕の使用は、一定方向のバランスを保つことができるが、全方向のバランスを保つことが困難であった。瞬時に着脱あるいは収納が必要な仮眠に適していなかった。
本発明は以上の問題点を解決するためになされたものである。
【課題を解決するための手段】
【０００５】  本発明は、支柱部を設け、その支柱部とロック部を組み合わせた先端に手等を載せる台座を設け、支柱部を取巻くように広がる脚部の構成からなる。支柱部は、円筒状の支柱部中心筒から少し隙間を空けて取巻くように支柱部外壁を設ける。支柱部外壁は、均等に４分割される線上に沿って、上端から上下の中間より少し下降した辺りまで長いコの字谷状の４つのスライド孔が設けられる。支柱部の底面は閉じられており、底面にはそれぞれのスライド孔の延長線上に支柱部バネ固定部が設けられる。この支柱部バネ固定部にはバネの一端が固定され、バネは底面からスライド孔下端より少し下の高さまで伸びており、バネのもう一端にはスライド孔挿入部格納体が固定される。スライド孔挿入部格納体は、直方体を縦置きにしてコの字型になるよう変形させた形をしており、２つの側面に四角状の穴が設けられる。支柱部の、支柱部外壁と支柱部中心筒の隙間に挿入される形で、ロック部が設けられる。ロック部は、ロック部頭部、ロック部スライド棒、結合部から構成される。ドーナツ状のロック部頭部からは、支柱部と同等の高さでロック部スライド棒が４つ垂下して設けられる。ロック部スライド棒の左側面には、縦方向に細長く結合部スライド孔が切り掛け状に設けてあり、このスライド孔に結合部が挿入されるのであるが結合部はロック部スライド棒の縦中間辺り、すなわち、支柱部のスライド孔挿入部格納体の四角状の穴と同じ高さに設けられる。ロック部頭部の頭頂部には円錐台型の台座をロック部側が小さい面になるように取り付ける。脚部には、脚部の上端より少し低い位置の内壁に、スライド孔挿入部格納体のコの字谷の部分の長さ幅に相当する長さ幅に支柱部と脚部がぶつからない距離を加えた長さで、内側に突き出す形でスライド孔挿入部が設けられる。スライド孔挿入部は、スライド孔へ挿入されることにより上下することができる。スライド孔挿入部がスライド孔を下りきった時、スライド孔挿入部とスライド孔挿入部格納体は嵌合される。この状態で、ロック部を右回転させると、結合部がスライド孔挿入部格納体とスライド孔挿入部に挿入され、スライド孔挿入部とスライド孔挿入部格納体が結合されて、脚部が固定される。また、ロック部を左回転させると、結合部がスライド孔挿入部格納体とスライド孔挿入部から抜けて結合が解除され、脚部を上下することが出来る。
以上の構成からなる携帯可能な着座仮眠補助台である。
【発明の効果】
【０００６】  （イ）仮眠時の頭部の重みや、乗り物の揺れによる任意の方向の加重をバネによって吸収することでバランスを保つことが出来る
（ロ）前後左右に倒れる心配をせず、リラックスして仮眠がとれる
（ハ）脚部を縮めた状態でロックすることで、全長が短くなり携帯性が向上する
（ニ）伸ばして、ロックして、ひざや手荷物の上に置くだけで使用できるため、瞬時に出し入れ出来る
【図面の簡単な説明】
【０００７】
【図１】本発明の未使用時を示す外観斜視図
【図２】本発明の使用可能状態を示す外観斜視図
【図３】本発明の一部である支柱部を示す斜視図
【図４】本発明の一部であるロック部を示す斜視図
【図５】本発明の一部である４つの脚部のうち１つを示す斜視図
【図６】本発明の一部であるスライド孔挿入部格納体とバネを示す斜視図
【図７】本発明の一部である支柱部とロック部の組み合わせを示す斜視図
【図８】図７において内部構造が見える様に支柱部外壁部分を透明にした斜視図
【図９】本発明の一部であるスライド孔挿入部とスライド孔挿入部格納体の接合状態が見える様に脚部を透明にした斜視図
【図１０】使用可能状態の本発明を水平に切断した断面拡大図
【図１１】本発明の使用状態を示すイメージ図
【発明を実施するための形態】
【０００８】  以下、本発明の実施形態を説明する。
本発明は、支柱部（８）を設け、その支柱部（８）とロック部（１１）を組み合わせた先端に手等を載せる台座（１）を設け、支柱部（８）をとり巻くように広がる脚部（２）の構成からなる。支柱部（８）は、円筒状の支柱部中心筒（６）から少し隙間を空けて取巻くように支柱部外壁（３）を設ける。支柱部外壁（３）は、均等に４分割される線上に沿って、上端から上下の中間より少し下降した辺りまで長いコの字谷状の４つのスライド孔（５）が設けられる。支柱部（８）の底面は閉じられており、底面にはそれぞれのスライド孔（５）の延長線上に支柱部バネ固定部（７）が設けられる。この支柱部バネ固定部（７）にはバネ（１５）の一端が固定され、バネ（１５）は底面からスライド孔（５）下端より少し下の高さまで伸びており、バネ（１５）のもう一端にはスライド孔挿入部格納体（１４）が固定される。スライド孔挿入部格納体（１４）は、直方体を縦置きにしてコの字型になるよう変形させた形をしており、２つの側面に四角状の穴が設けられる。支柱部（８）の、支柱部外壁（３）と支柱部中心筒（６）の隙間に挿入される形で、ロック部（１１）が設けられる。ロック部（１１）は、ロック部頭部（４）、ロック部スライド棒（９）、結合部（１２）から構成される。ドーナツ状のロック部頭部（４）からは、支柱部（８）と同等の高さでロック部スライド棒（９）が４つ垂下して設けられる。ロック部スライド棒（９）の左側面には、縦方向に細長く結合部スライド孔（１０）が切り掛け状に設けてあり、この結合部スライド孔（１０）に結合部（１２）が挿入されるのであるが結合部（１２）はロック部スライド棒（９）の縦中間辺り、すなわち、支柱部（８）のスライド孔挿入部格納体（１４）の四角状の穴と同じ高さに設けられる。ロック部頭部（４）の頭頂部には円錐台型の台座（１）をロック部（１１）側が小さい面になるように取り付ける。脚部（２）には、脚部（２）の上端より少し低い位置の内壁に、スライド孔挿入部格納体（１４）のコの字谷の部分の長さ幅に相当する長さ幅に支柱部（８）と脚部（２）がぶつからない距離を加えた長さで、内側に突き出す形でスライド孔挿入部（１３）が設けられる。スライド孔挿入部（１３）は、スライド孔（５）へ挿入されることにより、支柱部（８）と平行に上下することができる。スライド孔挿入部（１３）が、スライド孔（５）を下りきった時、スライド孔挿入部（１３）とスライド孔挿入部格納体（１４）は嵌合される。この状態で、ロック部（１１）を右回転させると、結合部（１２）がスライド孔挿入部格納体（１４）とスライド孔挿入部（１３）に挿入され、スライド孔挿入部（１３）とスライド孔挿入部格納体（１４）が結合されて、脚部（２）が固定される。また、ロック部（１１）を左回転させると、結合部（１２）がスライド孔挿入部格納体（１４）とスライド孔挿入部（１３）から抜けて結合が解除され、脚部（２）を上下することが出来る。なお、結合部スライド孔（１０）がロック部スライド棒（９）の右側面に設けられた時、結合部（１２）も右側面に設けられる。この場合、ロック部（１１）を右回転させると、結合部（１２）がスライド孔挿入部格納体（１４）とスライド孔挿入部（１３）から抜ける。反対に、ロック部（１１）を左回転させると、結合部（１２）がスライド孔挿入部格納体（１４）とスライド孔挿入部（１３）へ挿入される。これにより得られる結果は、結合部（１２）がロック部スライド棒（９）の左側面に設けられた時と同じである。
本発明を使用するときは、本発明の未使用時の状態から台座（１）を回転させると、台座（１）と結合されているロック部（１１）も同時に回転することで、結合部（１２）がスライド孔挿入部格納体（１４）から抜ける。脚部（２）が上下可能となり、スライド孔挿入部（１３）をスライド孔挿入部格納体（１４）と嵌合するまで下げる。嵌合された状態で、台座（１）を逆回転させることで、嵌合されたスライド孔挿入部（１３）とスライド孔挿入部格納体（１４）に結合部（１２）が挿入され、スライド孔挿入部（１３）とスライド孔挿入部格納体（１４）が結合されて脚部（２）が固定される。この状態で、太腿や手荷物の上に本発明を置き、台座（１）に手や頭を乗せて、前傾姿勢をとると重みで支柱部（８）が沈むが、バネ（１５）により重みを吸収する。４つの脚部（２）に対して、乗り物の揺れや頭部の重みで四方向にそれぞれ加重を受けるが、それぞれのバネ（１５）によりバランスを保つことができる。使用状態から未使用状態へ変形させるときは、台座（１）を回転させて結合を解除して、脚部（２）を上下可能な状態にさせて、スライド孔挿入部格納体（１４）からスライド孔挿入部（１３）を外すよう上昇させる。スライド孔挿入部格納体（１４）とスライド孔挿入部（１３）が重ならなくなったところで、台座（１）を逆回転させて、結合部（１２）をスライド孔挿入部格納体（１４）のみに挿入させる。スライド孔挿入部（１３）は結合部（１２）とぶつかるため、下げることができなくなり脚部（２）が固定されることで、全長を縮めることができ持ち運びの利便性が向上する。
【符号の説明】
【０００９】  １台座、２脚部、３支柱部外壁、４ロック部頭部、５スライド孔、６支柱部中心筒、７支柱部バネ固定部、８支柱部、９ロック部スライド棒、１０結合部スライド孔、１１ロック部、１２結合部、１３スライド孔挿入部、１４スライド孔挿入部格納体、１５バネ
【図１】
2016034463.tif 000003
【図２】
2016034463.tif 000004
【図３】
2016034463.tif 000005
【図４】
2016034463.tif 000006
【図５】
2016034463.tif 000007
【図６】
2016034463.tif 000008
【図７】
2016034463.tif 000009
【図８】
2016034463.tif 000010
【図９】
2016034463.tif 000011
【図１０】
2016034463.tif 000012
【図１１】
2016034463.tif 000013